(57)【要約】  指示体の検出精度を向上したタッチパネルシステムや、当該タッチパネルシステムを備えた電子情報機器を提供する。タッチパネルシステム１は、複数の電極ＳＬ，ＤＬを備えたタッチパネル３と、電極ＳＬ，ＤＬの少なくとも一部が出力する、当該電極ＳＬが形成する静電容量を示す出力信号に基づいて、検出面Ｐに接触または近接する指示体の位置を検出する指示体位置検出部５と、を備える。指示体位置検出部５が、電極ＳＬ，ＤＬのパターンに対応するように検出面Ｐ内の所定の位置毎に検出感度を補正して、検出面Ｐ内における指示体の位置を検出することを特徴とするタッチパネルシステム。
2014073586.tif 000002
【特許請求の範囲】
【請求項１】
複数の電極を備えたタッチパネルと、
前記電極の少なくとも一部が出力する、当該電極が形成する静電容量を示す出力信号に基づいて、検出面に接触または近接する指示体の位置を検出する指示体位置検出部と、を備え、
前記指示体位置検出部が、前記電極のパターンに対応するように前記検出面内の所定の位置毎に検出感度を補正して、前記検出面内における前記指示体の位置を検出することを特徴とするタッチパネルシステム。
【請求項２】
前記指示体位置検出部は、前記電極のパターンに対応するように前記検出面内の所定の位置毎に設定された検出基準を用いて、前記検出面内における前記指示体の位置を検出することを特徴とする請求項１に記載のタッチパネルシステム。
【請求項３】
前記指示体位置検出部は、前記出力信号を処理することで得られる、前記検出面内の所定の位置毎の静電容量に対応した静電容量値に基づいて、前記検出面内における前記指示体の位置を検出するものであり、
前記指示体位置検出部は、前記電極のパターンに対応するように前記検出面内の所定の位置毎に設定された補正方法で前記静電容量値を補正し、得られる補正後の静電容量値に基づいて、前記検出面内における前記指示体の位置を検出することを特徴とする請求項１または２に記載のタッチパネルシステム。
【請求項４】
前記指示体位置検出部は、前記検出面内のある位置に対応する前記静電容量値と、当該ある位置の周囲の少なくとも一つの位置に対応する前記静電容量値と、に基づいて、当該ある位置に対応する前記静電容量値を補正することを特徴とする請求項３に記載のタッチパネルシステム。
【請求項５】
前記指示体位置検出部は、前記電極のパターンに対応するように前記検出面内の所定の位置毎に設定された補正方法で検出基準を補正し、補正後の検出基準を用いて、前記検出面内における前記指示体の位置を検出することを特徴とする請求項１〜４のいずれか１項に記載のタッチパネルシステム。
【請求項６】
前記タッチパネルが、前記電極として、前記検出面に沿って互いに平行に設けられる複数の下部電極と、前記検出面と前記下部電極との間で前記下部電極と交差するとともに前記検出面に沿って互いに平行に設けられる複数の上部電極と、を備え、
前記検出面内で、前記上部電極の中心線上から離れた位置ほど、前記指示体が検出され易くなるように、前記検出感度が補正されることを特徴とする請求項１〜５のいずれか１項に記載のタッチパネルシステム。
【請求項７】
前記検出感度の補正方法が、前記検出面に対して前記指示体が実際に接触した際に得られる前記出力信号の処理結果に基づいて設定されていることを特徴とする請求項１〜６のいずれか１項に記載のタッチパネルシステム。
【請求項８】
前記検出感度の補正方法が、前記電極のパターンの特徴に基づいて設定されていることを特徴とする請求項１〜７のいずれか１項に記載のタッチパネルシステム。
【請求項９】
前記指示体位置検出部による前記出力信号の処理結果に基づいて、前記検出感度の補正方法の設定及び更新の少なくともいずれか一方を行う検出感度補正方法設定部を、さらに備えることを特徴とする請求項１〜８のいずれか１項に記載のタッチパネルシステム。
【発明の詳細な説明】
【技術分野】
【０００１】
本発明は、タッチパネルシステムや、当該タッチパネルシステムを備えた電子情報機器に関する。
【背景技術】
【０００２】
近年、タッチパネルの検出面に接触または近接する指示体（例えば、ユーザの指やスタイラスなど、以下同じ）の位置を検出することでユーザの指示を受け付けるタッチパネルシステムが、携帯電話やパソコン、自動販売機などに搭載されることが多くなってきている。また、最近では、マルチタッチ操作（タッチパネルの検出面に接触または近接する複数の指示体を、同時に検出すること）が可能な投影型静電容量方式のタッチパネルシステムが、抵抗膜方式のタッチパネルシステムに代わって、広く利用されるようになってきている。【０００３】
投影型静電容量方式のタッチパネルシステムでは、検出面に沿って互いに平行となるように設けられる複数の上部電極と、当該上部電極と交差するように検出面に沿って互いに平行となるように設けられる下部電極と、を備えたタッチパネルが用いられる。このタッチパネルでは、上部電極が下部電極と検出面との間に設けられており、上部電極及び下部電極が二層構造になっている。【０００４】
投影型静電容量方式のタッチパネルシステムには、自己容量方式と相互容量方式とがある。自己容量方式は、上部電極及び下部電極のそれぞれから信号を取得して、上部電極及び下部電極のそれぞれの静電容量の変化（増加）を検出することで、上部電極の整列方向における指示体の位置と、下部電極の整列方向における指示体の位置と、を別々に検出する方式である。一方、相互容量方式は、一方の電極（以下、下部電極である場合について例示する）を駆動するとともに、他方の電極（以下、上部電極である場合について例示する）から信号を取得して、上部電極及び下部電極の間の静電容量の変化（減少）を検出することで、検出面内の指示体の位置を検出する方式である。【０００５】
投影型静電容量方式のタッチパネルシステムでは、検出面と下部電極との距離が、検出面と上部電極との距離よりも大きくなる。そのため、自己容量方式のタッチパネルシステムでは、指示体が検出面に接触または近接するときにおける、下部電極の静電容量の変化量（増加量）が、上部電極の静電容量の変化量（増加量）よりも、小さくなる。したがって、下部電極の出力信号に基づいた指示体の位置の検出精度が、上部電極の出力信号に基づいた指示体の位置の検出精度よりも、低くなる。【０００６】
そこで、特許文献１では、自己容量方式のタッチパネルシステムにおいて、下部電極の面積を上部電極の面積よりも大きくすることで、指示体が検出面に接触または近接するときにおける下部電極の静電容量の変化量（増加量）を大きくしたタッチパネルシステムが提案されている。
【先行技術文献】
【特許文献】
【０００７】
【特許文献１】特開２０１０−１７６５７１号公報
【発明の概要】
【発明が解決しようとする課題】
【０００８】
ところで、投影型静電容量方式のタッチパネルシステムでは、上部電極及び下部電極が複数並べられて形成される。そのため、指示体と複数の検出用電極（自己容量方式では上部電極及び下部電極、相互容量方式では上部電極）とのそれぞれの間に寄生容量が形成されることで、これらの複数の検出用電極のそれぞれの出力信号から、静電容量の変化が検出される。【０００９】
これについて、例えば、静電容量の変化量の分布の重心位置に着目して、当該重心位置における静電容量の変化が、検出基準よりも大きくなる場合に、当該重心位置を検出面内における指示体の位置として検出する方法を採用することが考えられる。しかし、当該重心位置における静電容量の変化量の大きさは、現実の指示体の位置（検出用電極の中心線上に存在するか否か）に応じて、大きく変動する。【００１０】
具体的に、ある検出用電極の中心線上に指示体が存在する場合、主として当該指示体と当該ある検出用電極との間で寄生容量が形成される。そのため、上述の重心位置における静電容量の変化量は、下記の場合と比較して大きくなる。したがって、この場合は指示体が検出され易くなる。【００１１】
一方、ある検出用電極の中心線上から離れた位置に指示体が存在する場合、当該指示体と当該ある検出用電極との間だけでなく、当該指示体と当該ある検出用電極の周辺の検出用電極との間でも、寄生容量が形成される。そのため、上述の重心位置における静電容量の変化量は、上記の場合と比較して小さくなる。したがって、この場合は指示体が検出され難くなる。【００１２】
上記の２つの場合のいずれを基準にして検出基準を設定したとしても、検出面内に、指示体が過度に検出され難い位置及び指示体が過度に検出され易い位置の一方または双方が生じるため、指示体の検出精度が低下する。【００１３】
なお、特許文献１で提案されているタッチパネルシステムでは、隣接する検出用電極間に形成される寄生容量による影響を低減するために、上部電極が十分に離間されるような形状にしている。しかしながら、上部電極を離間させるほど、上部電極の間に指示体が存在する場合における静電容量の変化量が小さくなるため、指示体の検出精度が低下する。このように、電極の形状を変形させるのみで指示体の検出精度を向上させることには、限界がある。【００１４】
そこで、本発明は、指示体の検出精度を向上したタッチパネルシステムや、当該タッチパネルシステムを備えた電子情報機器を提供することを目的とする。
【課題を解決するための手段】
【００１５】
上記目的を達成するため、本発明は、複数の電極を備えたタッチパネルと、前記電極の少なくとも一部が出力する、当該電極が形成する静電容量を示す出力信号に基づいて、検出面に接触または近接する指示体の位置を検出する指示体位置検出部と、を備え、前記指示体位置検出部が、前記電極のパターンに対応するように前記検出面内の所定の位置毎に検出感度を補正して、前記検出面内における前記指示体の位置を検出することを特徴とするタッチパネルシステムを提供する。【００１６】
なお、検出感度を補正するとは、検出基準と、当該検出基準が適用される対象の信号値（例えば、後述する静電容量の変化量や静電容量値）と、の相対的な関係を変動させることである。具体的に例えば、検出基準を変動させること、及び、上記信号値を変動させること、の一方または両方が、検出感度の補正に含まれる。【００１７】
さらに、上記特徴のタッチパネルシステムにおいて、前記電極のパターンに対応するように前記検出面Ｐ内の所定の位置毎に設定された検出基準を用いて、前記検出面内における前記指示体の位置を検出してもよい。【００１８】
さらに、上記特徴のタッチパネルシステムにおいて、前記指示体位置検出部は、前記出力信号を処理することで得られる、前記検出面内の所定の位置毎の静電容量に対応した静電容量値に基づいて、前記検出面内における前記指示体の位置を検出するものであり、前記指示体位置検出部は、前記電極のパターンに対応するように前記検出面内の所定の位置毎に設定された補正方法で前記静電容量値を補正し、得られる補正後の静電容量値に基づいて、前記検出面内における前記指示体の位置を検出してもよい。【００１９】
さらに、上記特徴のタッチパネルシステムにおいて、前記指示体位置検出部は、前記検出面内のある位置に対応する前記静電容量値と、当該ある位置の周囲の少なくとも一つの位置に対応する前記静電容量値と、に基づいて、当該ある位置に対応する前記静電容量値を補正してもよい。【００２０】
さらに、上記特徴のタッチパネルシステムにおいて、前記指示体位置検出部は、前記電極のパターンに対応するように前記検出面内の所定の位置毎に設定された補正方法で検出基準を補正し、補正後の検出基準を用いて、前記検出面内における前記指示体の位置を検出してもよい。【００２１】
さらに、上記特徴のタッチパネルシステムにおいて、前記タッチパネルが、前記電極として、前記検出面に沿って互いに平行に設けられる複数の下部電極と、前記検出面と前記下部電極との間で前記下部電極と交差するとともに前記検出面に沿って互いに平行に設けられる複数の上部電極と、を備え、前記検出面内で、前記上部電極の中心線上から離れた位置ほど、前記指示体が検出され易くなるように、前記検出感度が補正されると、好ましい。【００２２】
さらに、上記特徴のタッチパネルシステムにおいて、前記指示体位置検出部は、前記検出面に接触または近接する前記指示体が存在しない状態で得られた前記出力信号から求めた前記静電容量と、前記検出面内における前記指示体の位置の検出時に得られる前記出力信号から求められる前記静電容量と、を比較することで、前記静電容量の変化量の分布を求め、当該静電容量の変化量の分布の重心位置における前記静電容量の変化量が、検出基準よりも大きければ、当該重心位置を前記検出面内における前記指示体の位置として検出するものであり、前記検出面内で、前記上部電極の中心線上から離れた位置ほど、小さい前記検出基準が設定されていると、好ましい。【００２３】
さらに、上記特徴のタッチパネルシステムにおいて、前記検出感度の補正方法が、前記検出面に対して前記指示体が実際に接触した際に得られる前記出力信号の処理結果に基づいて設定されていてもよい。【００２４】
さらに、上記特徴のタッチパネルシステムにおいて、画像を表示する表示装置と、前記表示装置が表示する画像を制御するホスト端末と、をさらに備え、前記表示装置の画像が表示される表示面上に、前記タッチパネルが設けられ、前記ホスト端末が、前記表示装置が表示する画像を制御することで、前記検出面内の所定の位置に前記指示体が接触するように誘導し、それによって得られる前記出力信号に基づいて、前記検出感度の補正方法が求められてもよい。【００２５】
さらに、上記特徴のタッチパネルシステムにおいて、前記検出感度の補正方法が、前記電極のパターンの特徴に基づいて設定されていてもよい。【００２６】
さらに、上記特徴のタッチパネルシステムにおいて、前記指示体位置検出部による前記出力信号の処理結果に基づいて、前記検出感度の補正方法の設定及び更新の少なくともいずれか一方を行う検出感度補正方法設定部を、さらに備えてもよい。【００２７】
さらに、上記特徴のタッチパネルシステムにおいて、前記電極は、多角形または円形のパッド部が直線状に複数連結されたパターンから成ってもよい。【００２８】
さらに、上記特徴のタッチパネルシステムにおいて、画像を表示する表示装置を、さらに備え、前記表示装置の画像が表示される表示面上に、前記タッチパネルが設けられてもよい。【００２９】
さらに、上記特徴のタッチパネルシステムにおいて、前記表示装置が、液晶ディスプレイ、プラズマディスプレイ、有機ＥＬディスプレイ、または、電界放出ディスプレイであってもよい。【００３０】
また、本発明は、上記特徴のタッチパネルシステムを備えることを特徴とする電子情報機器を提供する。
【発明の効果】
【００３１】
上記特徴のタッチパネルシステム及び電子情報機器によれば、検出面内のどの位置においても、当該位置に応じた適切な検出感度で、検出面に接触または近接する指示体を検出することが可能となる。したがって、指示体の検出精度を向上することが可能となる。
【図面の簡単な説明】
【００３２】
【図１】本発明の第１実施形態に係るタッチパネルシステムの全体構成例について示すブロック図。
【図２】電極のパターン及び検出基準の設定方法のそれぞれの具体例について示す図。
【図３】検出基準を設定するためのタッチパネルシステムの具体的な動作例について示すフローチャート。
【図４】検出基準の設定時に表示装置の表示面に表示される画像の具体例について示した図。
【図５】本発明の第１実施形態に係る電子情報機器の構成例を示すブロック図。
【図６】電極の構造の別例について示す平面図。
【図７】検出基準を更新するためのタッチパネルシステムの具体的な動作例について示すフローチャート。
【図８】検出基準の設定方法の一例について示すフローチャート。
【図９】本発明の第２実施形態に係るタッチパネルシステムの全体構成例について示すブロック図。
【図１０】図９に示す指示体位置検出部の動作の一例について示すフローチャート。
【図１１】電極のパターン及び静電容量値の補正方法のそれぞれの具体例について示す図。
【図１２】本発明の第３実施形態に係るタッチパネルシステムの全体構成例について示すブロック図。
【図１３】図１２に示す指示体位置検出部の動作の一例について示すフローチャート。
【図１４】電極のパターン及び検出基準の補正方法のそれぞれの具体例について示す図。
【発明を実施するための形態】
【００３３】
以下、本発明の第１〜第３実施形態として、ドライブラインとセンスラインとがタッチパネルの検出面に沿って設けられる、相互容量方式のタッチパネルシステムを例示して説明する。
【００３４】
＜＜第１実施形態＞＞
＜タッチパネルシステムの全体構成例＞
最初に、本発明の第１実施形態に係るタッチパネルシステムの全体構成例について、図面を参照して説明する。図１は、本発明の第１実施形態に係るタッチパネルシステムの全体構成例について示すブロック図である。
【００３５】
図１に示すように、タッチパネルシステム１は、表示面に画像を表示する表示装置２と、表示装置２の表示面上に設けられるとともにドライブラインＤＬが駆動されることによって検出面Ｐに接触または近接する指示体の有無に応じた出力信号をセンスラインＳＬから出力するタッチパネル３と、ドライブラインＤＬを駆動するドライブライン駆動部４と、センスラインＳＬが出力する出力信号を処理することで検出面Ｐ内における指示体の位置を検出する指示体位置検出部５と、指示体位置検出部５が検出面Ｐ内における指示体の位置を検出する際に用いる検出基準を設定する検出基準設定部６（検出感度補正方法設定部）と、表示装置２が表示する画像を制御するホスト端末７と、を備える。
【００３６】
表示装置２は、例えば、液晶ディスプレイや、プラズマディスプレイ、有機ＥＬディスプレイ、電界放出ディスプレイなどから成る。なお、表示装置２はこれらに限られるものではなく、どのようなものであってもよい。
【００３７】
タッチパネル３は、検出面Ｐに沿って互いに平行に設けられるとともにそれぞれに所定のドライブ信号が与えられることで駆動される複数のドライブラインＤＬ（下部電極）と、ドライブラインＤＬと交差（立体交差）するように検出面Ｐに沿って互いに平行に設けられるとともにドライブラインＤＬが駆動されることで当該ドライブラインＤＬとの間に形成される静電容量に応じた出力信号を出力する複数のセンスラインＳＬ（上部電極）と、を備える。なお、センスラインＳＬは、ドライブラインＤＬと検出面Ｐとの間に設けられる。
【００３８】
出力信号は、検出面Ｐ内の検出領域Ｘ（ドライブラインＤＬ及びセンスラインＳＬの交差部分やその近傍部分、以下同じ）に対して指示体が接触または近接しているか（検出領域Ｘに対する接触または近接の有無や、検出領域Ｘと指示体との離間距離など）を示す信号となり、検出領域Ｘと指示体との離間距離が小さくなるほど、静電容量は小さくなる。なお、図１では、ドライブラインＤＬとセンスラインＳＬとが垂直に交差する場合について例示しているが、垂直以外の角度で交差してもよい。
【００３９】
ドライブライン駆動部４は、ドライブラインＤＬに所定の信号を印加することで駆動する。ドライブラインＤＬが駆動されると、駆動されたドライブラインＤＬと交差するセンスラインＳＬが、当該ドライブラインとの間に形成される静電容量に応じた出力信号を出力する。このとき、ドライブライン駆動部４が、同時に複数のドライブラインＤＬを駆動すると、１つのセンスラインＳＬが、複数のドライブラインＤＬとの間に形成される複数の静電容量に対応した出力信号を出力することになるが、指示体位置検出部５は、後述する復号処理部５４の復号処理によって、このような重畳的な静電容量に対応した出力信号から、それぞれの静電容量を求めることが可能である。
【００４０】
指示体位置検出部５は、センスラインＳＬが出力する出力信号を増幅する増幅部５１と、増幅部５１が増幅した出力信号を取得して時分割で出力する信号取得部５２と、信号取得部５２が出力したアナログ信号をデジタル信号に変換するＡ／Ｄ変換部５３と、Ａ／Ｄ変換部５３が変換したデジタル信号に基づいて検出面Ｐ内における静電容量の変化量の分布を求める復号処理部５４と、復号処理部５４が求めた静電容量の変化量の分布に基づいて検出面Ｐ内における指示体の位置を検出して当該位置を示す位置情報を生成する位置情報生成部５５と、を備える。
【００４１】
復号処理部５４は、ドライブライン駆動部４がドライブラインＤＬに与えたドライブ信号の信号パターンに基づいて、Ａ／Ｄ変換部５３から得られるデジタル信号を復号処理することによって、検出面Ｐ内における静電容量の分布（二次元的な分布）を求める。さらに、復号処理部５４は、指示体の検出を行う前に（例えば、タッチパネルシステムの起動直後に行われるキャリブレーション時に）、検出面Ｐに接触または近接する指示体が存在しない状態で得られた出力信号から求められたデジタル信号を取得することによって、検出面Ｐに接触または近接する指示体が存在しない状態の検出面Ｐ内における静電容量の分布（二次元的な分布）を、あらかじめ求めている。
【００４２】
そして、復号処理部５４は、検出面Ｐに接触または近接する指示体が存在しない状態の検出面Ｐ内における静電容量の分布と、指示体の位置の検出時に求めた検出面Ｐ内における静電容量の分布と、を比較して、検出面Ｐ内における静電容量の変化量の分布（即ち、検出面Ｐへの指示体の接触または近接に起因して変化した静電容量の成分の二次元的な分布）を求める。なお、後述する第２及び第３実施形態では、この検出面Ｐ内の所定の位置毎の静電容量の変化量を、説明の便宜上「静電容量値」として表現している。
【００４３】
具体的に例えば、復号処理部５４は、検出面Ｐに接触または近接する指示体が存在しない状態の検出面Ｐ内における静電容量の分布から、指示体の位置の検出時に求めた検出面Ｐ内における静電容量の分布を減算することによって、検出面Ｐ内における静電容量の変化量の分布を求める。なお、静電容量の変化量は、絶対値化されたものであってもよい。
【００４４】
位置情報生成部５５は、復号処理部５４が求めた検出面Ｐ内における静電容量の変化量の分布と、検出面Ｐ内の所定の位置毎に設定されている（例えば、センスラインＳＬ及びドライブラインＤＬの交差点の間隔よりも短い間隔で、二次元的に設定されている）検出基準と、を用いて、検出面Ｐ内における指示体の位置を求め、位置情報を生成する。
【００４５】
具体的に例えば、位置情報生成部５５は、検出面Ｐ内における静電容量の変化量の分布の重心位置を求め、当該重心位置における静電容量の変化量が検出基準よりも大きければ、当該重心位置を検出面Ｐに接触または近接している指示体の位置とする。なお、位置情報生成部５５は、検出面Ｐ内の静電容量の変化量の全てを用いて重心位置を求めてもよいし、一部（例えば、静電容量の変化量が所定の閾値よりも大きくなる部分）を用いて重心位置を求めてもよい。また、位置情報生成部５５は、当該重心位置の付近（または検出面Ｐ内の全部）の検出領域Ｘにおける静電容量の変化量に対して補間処理等を行うことによって、当該重心位置における静電容量の変化量を求めてもよい。
【００４６】
そして、位置情報生成部５５は、検出面Ｐ内における指示体の位置を示す位置情報を生成し、出力する。なお、位置情報生成部５５は、検出面Ｐに接触または近接する指示体が存在しない場合など、検出面Ｐに接触または近接している指示体の位置を求めることができなかった場合は、その旨を示す位置情報を生成して出力してもよい。また、検出基準の詳細については、後述する。
【００４７】
検出基準設定部６は、復号処理部５４から得られる静電容量の変化量の分布に基づいて、位置情報生成部５５で用いられる検出基準を設定する。例えば、位置情報生成部５５は、検出基準設定部６が求めた検出基準を記憶する。なお、検出基準設定部６の動作の詳細については、後に具体的な動作例を挙げて説明する。
【００４８】
ホスト端末７は、タッチパネルシステム１の全体を制御するものであり、特に表示装置２に表示される画像を制御する。なお、図１では特に図示していないが、ホスト端末７は、ドライブライン駆動部４や、指示体位置検出部５の各部などを制御し得る。また、ホスト端末７の動作の詳細については、後に具体的な動作例を挙げて説明する。
【００４９】
＜検出基準の設定方法＞
次に、検出基準の設定方法について、図面を参照して説明する。図２は、電極のパターン及び検出基準の設定方法のそれぞれの具体例について示す図である。図２（ａ）は、電極のパターンの具体例について示す平面図である。また、図２（ｂ）は、一定値となる検出基準を設定した場合における、静電容量の変化量と検出基準とを併せて表示したグラフである。また、図２（ｃ）は、センスラインのパターンに対応した検出基準を設定した場合における、静電容量の変化量と検出基準とを併せて表示したグラフである。なお、図２（ｂ）及び図２（ｃ）に示すグラフの横軸における位置は、図２（ａ）に示す太い破線の位置と対応している。また、図２（ｂ）及び図２（ｃ）に示す静電容量の変化量とは、図２（ａ）の太い破線上の各位置に指示体を接触させた場合における、当該各位置の静電容量の変化量を示したものである。
【００５０】
図２（ａ）に示すように、ドライブラインＤＬは、センスラインＳＬと交差する部分を除いて局所的に面積が大きくなるドライブラインパッド部ＤＬＰを備える。同様に、センスラインＳＬは、ドライブラインＤＬと交差する部分を除いて局所的に面積が大きくなるセンスラインパッド部ＳＬＰを備える。そして、図２（ａ）に示すように、ドライブラインＤＬ及びセンスラインＳＬが交差する部分では、ドライブラインＤＬとセンスラインＳＬとの間（特に、隣接するドライブラインパッド部ＤＬＰとセンスラインパッド部ＳＬＰとの間）に、静電容量Ｃが形成される。なお、ドライブラインＤＬがドライブラインパッド部ＤＬＰを備えず、センスラインＳＬがセンスラインパッド部ＳＬＰを備えなくてもよい。この場合でも、ドライブラインＤＬ及びセンスラインＳＬの交差する部分において、静電容量Ｃが形成される。
【００５１】
上述のように、また図２（ｂ）及び図２（ｃ）に示すように、検出面Ｐ内の指示体の位置に応じて、静電容量の変化量は大きく変動する。具体的に、センスラインＳＬの中心線上の位置Ｂに指示体が存在する場合は、静電容量の変化量が大きくなる。一方、センスラインＳＬの中心線上から離れた位置Ａに指示体が存在する場合は、静電容量の変化量が小さくなる。
【００５２】
この場合、図２（ｂ）に示すように、静電容量の変化量が大きい位置Ｂを基準として、一定値となる検出基準を設定すると、静電容量の変化量が小さい位置Ａでは、指示体が過度に検出され難くなる（即ち、検出感度が過度に小さくなる）。これとは反対に、静電容量の変化量が小さい位置Ａを基準として、一定値となる検出基準を設定すると（図２（ｂ）に示す検出基準よりも十分に小さい検出基準を設定すると）、静電容量の変化量が大きい位置Ｂでは、指示体が過度に検出され易くなる（即ち、検出感度が過度に大きくなる）。したがって、位置Ａ及び位置Ｂのいずれの静電容量の変化量を基準として検出基準を設定したとしても、指示体の検出精度を向上することは困難である。
【００５３】
そこで、本発明の第１実施形態に係るタッチパネルシステム１では、センスラインＳＬのパターン（例えば、大きさ、形状、配置間隔、配置位置など）に対応した検出基準を設定する。具体的には、センスラインＳＬの中心線上に近い位置ほど大きく、センスラインＳＬの中心線上から離れた位置ほど小さくなる検出基準を設定する。具体的に例えば、接触面Ｐ内の各位置に指示体が接触する場合における当該各位置の静電容量の変化量に対して、所定の大きさ（例えば、１５％）だけ小さくした検出基準を設定する。
【００５４】
これにより、検出面Ｐ内の所定の位置毎に、センスラインＳＬのパターンに対応するように検出感度が補正される。上述のように、検出感度は、静電容量の変化量と検出基準との相対的な関係であるから、いずれか一方（または、両方）を変動させることで、検出感度を補正することができる。なお、第１実施形態のタッチパネルシステム１では、変動させた検出基準を設定することによって、検出感度を補正している。
【００５５】
以上のように、本発明の第１実施形態に係るタッチパネルシステム１では、検出面Ｐ内のどの位置においても、当該位置に応じた適切な検出基準（即ち、適切な検出感度）を用いて、検出面Ｐに接触または近接する指示体を検出することが可能となる。したがって、指示体の検出精度を向上することが可能となる。
【００５６】
＜検出基準を設定するための具体的な動作＞
上述の検出基準の設定方法を実現するタッチパネルシステム１の具体的な動作例について、図面を参照して説明する。図３は、検出基準を設定するためのタッチパネルシステムの具体的な動作例について示すフローチャートである。なお、図３に示すフローチャートの動作は、主としてタッチパネルシステム１の起動時や、ユーザによって検出基準の再設定が指示された時などに、行われる。
【００５７】
図３に示すように、検出基準の設定が開始されると、最初に、検出基準設定部６が、ホスト端末７に対して、検出面Ｐ内で指示体を接触させるべき位置を指示する。これにより、ホスト端末７は、表示装置２に表示される画像を制御することで、ユーザに対して指示体を接触させるべき位置を指示する（ステップ＃１）。
【００５８】
このときに表示装置２に表示される画像の具体例について、図４を参照して説明する。図４は、検出基準の設定時に表示装置の表示面に表示される画像の具体例について示した図である。
【００５９】
図４は、表示装置２の表示面に対して、複数の二重環（漢字の「回」に似た図形）が並べられた画像が表示される場合を示したものである。ホスト端末７は、検出面Ｐ内における指示体を接触させるべき位置の二重環のみを実線で表示し、他を破線で表示することによって、指示体を接触させるべき位置をユーザに対して明示的に指示する。そして、この画像を見たユーザは、実線で表示された二重環の表示位置に対して、指等の指示体を接触させるように、誘導される。
【００６０】
ユーザが、実線で示された二重環の表示位置に対して指示体を接触させると（ステップ＃２）、検出基準設定部６は、復号処理部５４が出力する静電容量の変化量の分布から、当該位置における静電容量の変化量を取得する（ステップ＃３）。そして、検出基準設定部６は、検出面Ｐに対する指示体の接触がさらに必要であるか否か（例えば、予定していた指示体の接触が全て終了したか否か）を確認する（ステップ＃４）。
【００６１】
検出面Ｐに対する指示体の接触がさらに必要である場合（ステップ＃４、ＹＥＳ）、検出基準設定部６は、ホスト端末７に対して、検出面Ｐ内で指示体を接触させるべき位置（特に、前回指示した位置とは異なる位置）を再度指示する（ステップ＃１）。これに対して、検出面Ｐに対する指示体の接触が必要ではない場合（ステップ＃４、ＮＯ）、検出基準設定部６は、ステップ＃３で取得した検出面Ｐ内の各位置の静電容量の変化量に基づいて、当該各位置の検出基準の設定を行い（ステップ＃５）、動作を終了する。
【００６２】
なお、図４では、表示装置２の表示面に対して、図形が並べられた画像を表示する場合について例示したが、図形以外の画像を表示してもよい。例えば、それぞれ異なる文字（数字や記号なども含む）を示す複数の入力ボタン画像が並べられた画像を表示してもよい。さらにこの場合、ホスト端末７が、検出面Ｐ内における指示体を接触させるべき位置の入力ボタン画像を、例えばユーザが認識しているパスワード等の文字列を構成する所定の文字を示すものとして、指示体を接触させるべき位置をユーザに対して暗示的に指示してもよい。この結果、当該画像を見たユーザは、上記所定の文字を示す入力ボタン画像の表示位置に対して、指等の指示体を接触させるように、誘導される。
【００６３】
また、本動作例において、ユーザに対して過度な負担を強いることを避ける観点から、検出面Ｐに対する指示体の接触回数（ステップ＃１及び＃２を繰り返す回数）は、あまりに多く設定しない方が好ましい。しかし、検出面Ｐに対する指示体の接触回数を少なくすると、検出基準設定部６が取得することができる、指示体が検出面Ｐに接触したときの静電容量の変化量の数が、少なくなる。
【００６４】
そこで、検出基準設定部６が、必要に応じて補間処理等を行い、検出基準を設定するために必要なデータを生成してもよい。具体的に例えば、検出基準設定部６が、上述の動作により設定された複数の位置（例えば、図２の位置Ａ及び位置Ｂ）について求めた検出基準を加算平均することで、その間の位置の検出基準を求めてもよい。また、検出基準設定部６が、センスラインＳＬのパターンに対する相対的な位置関係が同様となる位置（例えば、センスラインＳＬの中心線上となる複数の位置）について求めた検出基準を平均化して、他の同様の位置における検出基準を設定してもよい。また、検出基準設定部６は、ステップ＃３で得られる静電容量の変化量に対して、これらの演算を行なってもよい。
【００６５】
＜電子情報機器＞
上述のタッチパネルシステム１を備えた、本発明の第１実施形態に係る電子情報機器の構成例について、図５を参照して説明する。図５は、本発明の第１実施形態に係る電子情報機器の構成例を示すブロック図である。
【００６６】
図５に示すように、本発明の第１実施形態に係る電子情報機器１００は、表示装置１０１（図１の表示装置２に相当）と、表示装置１０１を制御する表示装置制御部１０２と、タッチパネル１０３（図１のタッチパネル３に相当）と、タッチパネルコントローラ１０４（図１のドライブライン駆動部４、指示体位置検出部５及び検出基準設定部６に相当）と、ユーザに押下されることでユーザの指示を受け付けるボタンスイッチ部１０５と、撮像により画像データを生成する撮像部１０６と、入力される音声データを音声として出力する音声出力部１０７と、集音により音声データを生成する集音部１０８と、音声出力部１０７に与える音声データの処理や集音部１０８から与えられる音声データの処理を行う音声処理部１０９と、電子情報機器１００の外部の機器と通信データを無線により通信する無線通信部１１０と、無線通信部１１０が無線により通信する通信データを電磁波として放射するとともに電子情報機器１００の外部の機器から放射された電磁波を受信するアンテナ１１１と、電子情報機器１００の外部の機器と通信データを有線により通信する有線通信部１１２と、各種データを記憶する記憶部１１３と、電子情報機器１００の全体の動作を制御する本体制御部１１４（ホスト端末７に相当）と、を備える。
【００６７】
なお、上述の指示体位置検出部５及び検出基準設定部６の一部または全部を、タッチパネルコントローラ１０４ではなく、本体制御部１１４の一部としてもよい。また、図５に示す電子情報機器１００は、タッチパネルシステム１の適用例の１つに過ぎない。上述のタッチパネルシステム１は、電子情報機器１００とは異なる構成の電子情報機器に対しても、適用可能である。
【００６８】
＜変形等＞
［１］  本発明の第１実施形態として、相互容量方式のタッチパネルシステム１について例示したが、本発明は他の方式のタッチパネルシステムにも適用可能である。具体的に例えば、自己容量方式のタッチパネルシステムに対しても、本発明は適用可能である。なお、上述のように、自己容量方式のタッチパネルシステムでは、上部電極の整列方向における指示体の位置と、下部電極の整列方向における指示体の位置と、が別々に検出される。そのため、本発明は、これらの２種類の位置の検出の一方または双方に対して、適用可能である。
【００６９】
［２］  図２（ａ）に示すように、ドライブラインＤＬ及びセンスラインＳＬを、ＩＴＯ（Indium Tin Oxide）などの透明な材料で構成してもよいし、これ以外の材料で構成してもよい。例えば、図６に示すように、ドライブラインＤＬ及びセンスラインＳＬを、金属細線Ｆのメッシュで構成してもよい。なお、図６は、電極の構造の別例について示す平面図である。
【００７０】
また、図２（ａ）及び図６では、菱形のドライブラインパッド部ＤＬＰが直線状に複数連結されたパターンであるドライブラインＤＬと、菱形のセンスラインパッド部ＳＬＰが直線状に複数連結されたパターンであるセンスラインＳＬと、を備えたタッチパネル３について例示しているが、ドライラインＤＬ及びセンスラインＳＬのパターンは、これらの例の限りではない。例えば、ドライブラインＤＬ及びセンスラインＳＬを、円形のパッド部が直線状に複数連結されたパターンとしてもよいし、正方形や六角形などの多角形のパッド部が直線状に複数連結されたパターンとしてもよい。また、センスラインＳＬのパターンは、必ずしもドライブラインＤＬのパターンと同じ形状である必要はなく、ドライブラインＤＬのパターンと異なる形状であってもよい。
【００７１】
［３］  図５では、ユーザによって検出面Ｐに指示体が接触させられたときに得られる静電容量の変化量を用いて、検出基準を設定する場合の動作について例示したが、これ以外の動作または方法によって検出基準を設定することも可能である。
【００７２】
例えば、タッチパネルシステム１の通常の動作時において、検出基準設定部６が、指示体が検出面Ｐに接触したときにおける静電容量の変化量を随時取得することで、検出基準を動的に設定（更新）してもよい。このように、検出基準を更新する場合のタッチパネルシステム１の動作例について、図面を参照して説明する。図７は、検出基準を更新するためのタッチパネルシステムの具体的な動作例について示すフローチャートである。なお、図７に示す動作は、更新を１回行う場合のものであり、当該動作は繰り返し行われ得るものである。
【００７３】
図７に示すように、タッチパネルシステム１の通常の動作時（例えば、ユーザが電子情報機器１００を使用してアプリケーション等を実行している時）において、検出面Ｐに指示体が接触すると（ステップ＃１１）、検出基準設定部６は、復号処理部５４が出力する静電容量の変化量の分布から、検出用Ｐ内で指示体が接触した位置を検出するとともに、当該位置における静電容量の変化量を取得する（ステップ＃１２）。そして、検出基準設定部６は、ステップ＃１２で取得した静電容量の変化量に基づいて、検出基準を更新する（ステップ＃１３）。このとき、検出基準設定部６が、ステップ＃１２で得られた静電容量の変化量を用いて、検出面Ｐ内で指示体が接触した位置のみ検出基準を更新してもよいし、補間処理等を行なって他の位置の検出基準を合わせて更新してもよい。
【００７４】
なお、本例の検出基準の更新方法を実施する場合、検出基準の初期状態は、図２（ｂ）に示したような一定値であってもよいし、図２（ｃ）に示したようなセンスラインＳＬのパターンに対応させて設定したものであってもよい。
【００７５】
また、本例の方法による検出基準の更新は、常時行われるものとしてもよいが、ユーザが指示した場合に行われるものとしてもよいし、所定の期間毎に自動的に行われるものとしてもよい。
【００７６】
［４］  上述のように、検出基準は、センスラインＳＬのパターンに対応している。そのため、例えばタッチパネルシステム１（または、電子情報機器１００）の出荷前において、検出面Ｐに対して実際に指示体を接触または近接させることなく、センスラインＳＬのパターンの特徴から検出基準を求めて設定することも可能である。このように検出基準を設定する方法の一例について、図面を参照して説明する。図８は、検出基準の設定方法の一例について示すフローチャートである。
【００７７】
図８に示すように、最初に、センスラインＳＬのパターンの特徴を抽出する（ステップ＃２１）。具体的に例えば、センスラインＳＬの大きさや形状、配置間隔、配置位置などを、特徴として抽出する。次に、ステップ＃２１で得られたセンスラインＳＬのパターンの特徴に基づいて、図２（ｂ）及び図２（ｃ）に示したような、検出面Ｐの各位置に指示体が接触した場合における当該各位置における静電容量の変化量を、シミュレーション等によって推定する（ステップ＃２２）。そして、ステップ＃２２で推定した検出面Ｐ内の各位置の静電容量の変化量に基づいて、図３のステップ＃５と同様の方法により、当該各位置の検出基準を設定する（ステップ＃２３）。
【００７８】
なお、本例の方法を実行する場合、例えば、タッチパネルシステム１の外部の演算装置を用いて検出基準を求め、当該検出基準を位置情報生成部５５に記憶させてもよい。この場合、検出基準設定部６をタッチパネルシステム１に備えなくてもよいが、例えば、本例の検出基準の設定方法を他の検出基準の設定方法と組み合わせる場合（具体的に例えば、上記［３］の設定方法における初期状態の検出基準を、本例の方法で求める場合）、検出基準設定部６をタッチパネルシステム１に備える必要が生じ得る。
【００７９】
［５］  図２では、主として上部電極であるセンスラインＳＬのパターンに応じて検出基準を設定する場合について例示したが、指示体の接触位置と駆動用電極であるドライブラインＤＬのパターンとの相対的な位置関係と、静電容量の変化量と、に関係がある場合は、センスラインＳＬのパターンだけでなくドライブラインＤＬのパターンにも対応した検出基準を設定してもよい。
【００８０】
［６］  タッチパネルシステム１（または、電子情報機器１００）の出荷前に、検出面Ｐ内の様々な位置に指示体を接触させ得られる出力信号を処理して指示体が検出面Ｐに接触したときにおける静電容量の変化量を求めるテスト装置を用いて、センスラインＳＬのパターンに対応した検出基準を設定してもよい。この場合、検出基準設定部６を、タッチパネルシステム１に備えなくてもよい。
【００８１】
＜＜第２及び第３実施形態＞＞
次に、本発明の第２及び第３実施形態に係るタッチパネルシステムについて、図面を参照して説明する。なお、以下では、本発明の第２及び第３実施形態に係るタッチパネルシステムを説明するにあたり、上述した第１実施形態に係るタッチパネルシステム１（図１〜８参照）と異なる点を中心に説明し、同様となる点については適宜説明を省略する。そして、上述した第１実施形態に係るタッチパネルシステム１の説明は、特に矛盾しない限り、本発明の第２及び第３実施形態に係るタッチパネルシステム１についても当然に適用可能であるものとする。例えば、以下説明する第２及び第３実施形態に係るタッチパネルシステムは、上述した第１実施形態に係るタッチパネルシステム１と同様に、第１実施形態に係る電子情報機器１００（図５参照）に対して適用可能である。
【００８２】
＜第２実施形態＞
まず、本発明の第２実施形態に係るタッチパネルシステムの全体構成例について、図面を参照して説明する。図９は、本発明の第２実施形態に係るタッチパネルシステムの全体構成例について示すブロック図である。
【００８３】
図９に示すように、本発明の第２実施形態に係るタッチパネルシステム１Ａは、表示装置２と、タッチパネル３と、指示体位置検出部５Ａと、補正方法設定部６Ａと、ホスト端末７と、を備える。即ち、本発明の第２実施形態に係るタッチパネルシステム１Ａは、上述した第１実施形態に係るタッチパネルシステム１が備える指示体位置検出部５とは異なる指示体位置検出部５Ａを備えるとともに、検出基準設定部６の代わりに補正方法設定部６Ａ（検出感度補正方法設定部）を備えている点で、上述した第１実施形態に係るタッチパネルシステム１とは異なる。
【００８４】
指示体位置検出部５Ａは、増幅部５１と、信号取得部５２と、Ａ／Ｄ変換部５３と、復号処理部５４と、位置情報生成部５５と、に加えて、補正部５６を備える。補正部５６は、復号処理部５４が出力する静電容量値を補正して、補正後の静電容量値を位置情報生成部５５に入力するものである。また、補正部５６における静電容量値の補正方法は、補正方法設定部６Ａによって設定される。
【００８５】
ここで、指示体位置検出部５Ａの動作の一例について、図面を参照して説明する。図１０は、図９に示す指示体位置検出部の動作の一例について示すフローチャートである。
【００８６】
図９に示すように、指示体位置検出部５Ａは、最初に、センスラインＳＬから出力信号を取得する（ステップ＃３１）。次に、指示体位置検出部５Ａは、増幅部５１、信号取得部５２、Ａ／Ｄ変換部５３及び復号処理部５４を介して、静電容量値を生成する（ステップ＃３２）。なお、ここまでの動作は、上述した第１実施形態に係るタッチパネルシステム１が備える指示体位置検出部５と、同様である。
【００８７】
次に、指示体位置検出部５Ａは、補正部５６が、補正方法設定部６Ａによって設定される補正方法で、ステップ＃３２で生成された静電容量値を補正する（ステップ＃３３）。そして最後に、位置情報生成部５５が、ステップ＃３３で補正された静電容量値に基づいて、検出面Ｐ内における指示体の位置を検出して、位置情報を生成する（ステップ＃３４）。
【００８８】
ここで、補正部５６及び補正方法設定部６Ａによる静電容量値の補正方法の一例について、図面を参照して説明する。図１１は、電極のパターン及び静電容量値の補正方法のそれぞれの具体例について示す図である。図１１（ａ）は、電極のパターンの具体例について示す平面図である。また、図１１（ｂ）は、静電容量値を補正しない場合における、静電容量値と検出基準とを併せて表示したグラフである。また、図１１（ｃ）は、静電容量値を補正した場合における、静電容量値と検出基準とを併せて表示したグラフである。なお、図１１（ａ）は、図２（ａ）と同じ電極のパターンを示す図である。また、図１１（ｂ）及び図１１（ｃ）は、図２（ｂ）及び図２（ｃ）と同様の方法で表示したグラフであり、図１１（ａ）に示す位置Ａ及び位置Ｂのそれぞれにおける静電容量値及び検出基準を示している。また、図１１（ａ）〜（ｃ）における位置Ａ及び位置Ｂは、図２（ａ）〜（ｃ）に示した位置Ａ及び位置Ｂと同じ位置である。さらに、図２（ａ）〜（ｃ）と同様に、図１１（ａ）〜（ｃ）に示す例でも、位置Ａ及び位置Ｂのそれぞれに指示体が接触しているものとする。
【００８９】
本例では、補正方法設定部６Ａが、検出面Ｐ内の所定の位置毎に、静電容量値補正係数を設定する。そして、補正部５６が、検出面Ｐ内の所定の位置毎の静電容量値に対して、対応する静電容量値補正係数を乗ずることで、静電容量値を補正する。具体的に、本例では、位置Ａについては「１．６」、位置Ｂについては「１．３」の静電容量値補正係数が設定されている。
【００９０】
図１１（ｂ）において白塗りの丸印で例示するように、静電容量値を補正しない場合、位置Ｂは検出基準を上回るが、位置Ａでは検出基準を下回ってしまう。このとき、図１１（ｃ）において黒塗りの丸印で例示するように、それぞれの位置における静電容量値を補正することで、位置Ａ及び位置Ｂの双方において、補正後の静電容量値が検出基準をそれぞれ上回るようにすることができる。
【００９１】
本発明の第２実施形態に係るタッチパネルシステム１Ａも、上述した第１実施形態に係るタッチパネルシステム１と同様に、検出感度を補正する。ただし、第２実施形態に係るタッチパネルシステム１Ａでは、静電容量値を補正して変動させることによって、検出感度を補正する。
【００９２】
以上のように、本発明の第２実施形態に係るタッチパネルシステム１Ａでは、検出面Ｐ内のどの位置においても、当該位置に応じた適切な補正方法で静電容量値を補正して（即ち、適切な検出感度として）、検出面Ｐに接触または近接する指示体を検出することが可能となる。したがって、指示体の検出精度を向上することが可能となる。
【００９３】
なお、補正方法設定部６Ａにおける静電容量値の補正方法（静電容量値補正係数）の設定方法については、上述した第１実施形態に係るタッチパネルシステム１における検出基準の設定方法（図３〜５参照）と、同様の方法を採用することが可能である。
【００９４】
また、補正部５６が静電容量値の補正を行う際に、周囲の静電容量値を用いてもよい。具体的に、補正部５６が、検出面Ｐ内のある位置に対応する静電容量値と、当該ある位置の周囲の少なくとも一つの位置に対応する静電容量値と、に基づいて、当該ある位置に対応する静電容量値を補正してもよい。
【００９５】
このように構成すると、周囲の静電容量値の状態を加味して、静電容量値を補正することができる。そのため、指示体の検出精度をさらに向上することが可能になる。
【００９６】
また、本発明の第２実施形態に係るタッチパネルシステム１Ａは、上述した第１実施形態に係るタッチパネルシステム１と相反するものではなく、組み合わせて実施することも可能である。即ち、検出基準設定部６と、補正部５６及び補正方法設定部６Ａと、の両方を備えたタッチパネルシステムとしてもよい。
【００９７】
＜第３実施形態＞
まず、本発明の第３実施形態に係るタッチパネルシステムの全体構成例について、図面を参照して説明する。図１２は、本発明の第３実施形態に係るタッチパネルシステムの全体構成例について示すブロック図である。
【００９８】
図１２に示すように、本発明の第３実施形態に係るタッチパネルシステム１Ｂは、表示装置２と、タッチパネル３と、指示体位置検出部５Ｂと、補正方法設定部６Ｂと、ホスト端末７と、を備える。即ち、本発明の第３実施形態に係るタッチパネルシステム１Ｂは、上述した第１実施形態に係るタッチパネルシステム１が備える指示体位置検出部５とは異なる指示体位置検出部５Ｂを備えるとともに、検出基準設定部６の代わりに補正方法設定部６Ｂ（検出感度補正方法設定部）を備えている点で、上述した第１実施形態に係るタッチパネルシステム１とは異なる。
【００９９】
指示体位置検出部５Ｂは、上述した第１実施形態に係るタッチパネルシステム１と同様に、増幅部５１と、信号取得部５２と、Ａ／Ｄ変換部５３と、復号処理部５４と、位置情報生成部５５Ｂと、を備えるものである。ただし、位置情報生成部５５Ｂは、補正方法設定部６Ｂによって設定された補正方法で補正した検出基準を用いて、検出面Ｐ内の指示体の位置を検出する。
【０１００】
ここで、指示体位置検出部５Ｂの動作の一例について、図面を参照して説明する。図１３は、図１２に示す指示体位置検出部の動作の一例について示すフローチャートである。
【０１０１】
図１３に示すように、指示体位置検出部５Ｂは、最初に、センスラインＳＬから出力信号を取得する（ステップ＃４１）。次に、指示体位置検出部５は、増幅部５１、信号取得部５２、Ａ／Ｄ変換部５３及び復号処理部５４を介して、静電容量値を生成する（ステップ＃４２）。なお、ここまでの動作は、上述した第１実施形態に係るタッチパネルシステム１が備える指示体位置検出部５と、同様である。
【０１０２】
次に、指示体位置検出部５Ｂは、位置情報生成部５５Ｂが、補正方法設定部６Ｂによって設定される補正方法で、検出基準を補正する（ステップ＃４３）。そして最後に、位置情報生成部５５Ｂが、ステップ＃４３で補正された検出基準を用いて、検出面Ｐ内における指示体の位置を検出して、位置情報を生成する（ステップ＃４４）。
【０１０３】
ここで、位置情報生成部５５Ｂ及び補正方法設定部６Ｂによる検出基準の補正方法の一例について、図面を参照して説明する。図１４は、電極のパターン及び検出基準の補正方法のそれぞれの具体例について示す図である。図１４（ａ）は、電極のパターンの具体例について示す平面図である。また、図１４（ｂ）は、検出基準を補正しない場合における、静電容量値と検出基準とを併せて表示したグラフである。また、図１４（ｃ）は、検出基準を補正した場合における、静電容量値と検出基準とを併せて表示したグラフである。なお、図１４（ａ）は、図２（ａ）と同じ電極のパターンを示す図である。また、図１４（ｂ）及び図１４（ｃ）は、図２（ｂ）及び図２（ｃ）と同様の方法で表示したグラフであり、図１４（ａ）に示す位置Ａ及び位置Ｂのそれぞれにおける静電容量値及び検出基準を示している。また、図１４（ａ）〜（ｃ）における位置Ａ及び位置Ｂは、図２（ａ）〜（ｃ）に示した位置Ａ及び位置Ｂと同じ位置である。さらに、図２（ａ）〜（ｃ）と同様に、図１４（ａ）〜（ｃ）に示す例でも、位置Ａ及び位置Ｂのそれぞれに指示体が接触しているものとする。
【０１０４】
本例では、補正方法設定部６Ｂが、検出面Ｐ内の所定の位置毎に、検出基準補正係数を設定する。そして、位置情報生成部５５Ｂが、検出面Ｐ内の所定の位置毎に設定された検出基準に対して、対応する検出基準補正係数を乗ずることで、検出基準を補正する。具体的に、本例では、位置Ａについては「０．６」、位置Ｂについては「０．８」の検出基準補正係数が設定されている。
【０１０５】
図１４（ｂ）において破線で例示するように、検出基準を補正しない場合、位置Ｂは検出基準を上回るが、位置Ａでは検出基準を下回ってしまう。このとき、図１４（ｃ）において太い実線で例示するように、それぞれの位置における検出基準を補正することで、位置Ａ及び位置Ｂの双方において、静電容量値が補正後の検出基準をそれぞれ上回るようにすることができる。
【０１０６】
本発明の第３実施形態に係るタッチパネルシステム１Ｂも、上述した第１実施形態に係るタッチパネルシステム１と同様に、検出感度を補正する。ただし、第３実施形態に係るタッチパネルシステム１Ｂでは、検出基準を補正して変動させることによって、検出感度を補正する。
【０１０７】
以上のように、本発明の第３実施形態に係るタッチパネルシステム１Ｂでは、検出面Ｐ内のどの位置においても、当該位置に応じた適切な補正方法で検出基準を補正して（即ち、適切な検出感度として）、検出面Ｐに接触または近接する指示体を検出することが可能となる。したがって、指示体の検出精度を向上することが可能となる。
【０１０８】
なお、補正方法設定部６Ｂにおける検出基準の補正方法（検出基準補正係数）の設定方法については、上述した第１実施形態に係るタッチパネルシステム１における検出基準の設定方法（図３〜５参照）と、同様の方法を採用することが可能である。
【０１０９】
また、本発明の第３実施形態に係るタッチパネルシステム１Ｂは、上述した第１実施形態に係るタッチパネルシステム１や、本発明の第２実施形態に係るタッチパネルシステム１Ａと、相反するものではなく、組み合わせて実施することも可能である。即ち、補正方法設定部６Ｂに加えて、検出基準設定部６と、補正部５６及び補正方法設定部６Ａと、の少なくとも一方を備えたタッチパネルシステムとすることも可能である。
【０１１０】
＜変形等＞
上述した本発明の第２及び第３実施形態に係るタッチパネルシステム１Ａ,１Ｂでは、静電容量値を、検出面Ｐ内における所定の位置毎の静電容量の変化量（換言すると、指示体非接触時の静電容量と、検出試行時の静電容量と、の差分）としたが、これ以外の値としてもよい。例えば、検出面Ｐ内における所定の位置毎の静電容量を、静電容量値とすることも可能である。ただし、静電容量値を、検出面Ｐ内における所定の位置毎の静電容量の変化量とすると、タッチパネル２の特性の不均一性が静電容量値に反映されることを抑制することができるため、好ましい。
【０１１１】
＜＜まとめ＞＞
本発明の第１〜第３実施形態に係るタッチパネルシステム１，１Ａ，１Ｂ及び当該タッチパネルシステム１，１Ａ，１Ｂを備えた電子情報機器１００は、例えば以下のように把握され得る。
【０１１２】
本発明の実施形態に係るタッチパネルシステム１，１Ａ，１Ｂは、複数の電極ＳＬ，ＤＬを備えたタッチパネル３と、前記電極ＳＬ，ＤＬの少なくとも一部が出力する、当該電極ＳＬが形成する静電容量を示す出力信号に基づいて、検出面Ｐに接触または近接する指示体の位置を検出する指示体位置検出部５，５Ａ，５Ｂと、を備え、前記指示体位置検出部５，５Ａ，５Ｂが、前記電極ＳＬ，ＤＬのパターンに対応するように前記検出面Ｐ内の所定の位置毎に検出感度を補正して、前記検出面Ｐ内における前記指示体の位置を検出する。
【０１１３】
上記のタッチパネルシステム１，１Ａ，１Ｂによれば、検出面Ｐ内のどの位置においても、当該位置に応じた適切な検出感度で、検出面Ｐに接触または近接する指示体を検出することが可能となる。したがって、指示体の検出精度を向上することが可能となる。
【０１１４】
なお、検出感度を補正するとは、検出基準と、当該検出基準が適用される対象の信号値（例えば、静電容量の変化量や静電容量値）と、の相対的な関係を変動させることである。具体的に例えば、検出基準を変動させること、及び、上記信号値を変動させること、の一方または両方が、検出感度の補正に含まれる。
【０１１５】
さらに、上記のタッチパネルシステム１は、前記電極ＳＬ，ＤＬのパターンに対応するように前記検出面Ｐ内の所定の位置毎に設定された検出基準を用いて、前記検出面Ｐ内における前記指示体の位置を検出する。
【０１１６】
また、上記のタッチパネルシステム１Ａは、前記指示体位置検出部５Ａは、前記出力信号を処理することで得られる、前記検出面Ｐ内の所定の位置毎の静電容量に対応した静電容量値に基づいて、前記検出面Ｐ内における前記指示体の位置を検出するものであり、前記指示体位置検出部５Ａは、前記電極ＳＬ，ＤＬのパターンに対応するように前記検出面Ｐ内の所定の位置毎に設定された補正方法で前記静電容量値を補正し、得られる補正後の静電容量値に基づいて、前記検出面Ｐ内における前記指示体の位置を検出する。
【０１１７】
さらに、上記のタッチパネルシステム１Ａは、前記指示体位置検出部５Ａは、前記検出面Ｐ内のある位置に対応する前記静電容量値と、当該ある位置の周囲の少なくとも一つの位置に対応する前記静電容量値と、に基づいて、当該ある位置に対応する前記静電容量値を補正する。
【０１１８】
上記のタッチパネルシステム１Ａによれば、周囲の静電容量値の状態を加味して、静電容量値を補正することができる。そのため、指示体の検出精度をさらに向上することが可能になる。
【０１１９】
また、上記のタッチパネルシステム１Ｂは、前記指示体位置検出部５Ｂは、前記電極ＳＬ，ＤＬのパターンに対応するように前記検出面Ｐ内の所定の位置毎に設定された補正方法で検出基準を補正し、補正後の検出基準を用いて、前記検出面Ｐ内における前記指示体の位置を検出する。
【０１２０】
さらに、上記のタッチパネルシステム１，１Ａ，１Ｂは、前記タッチパネル３が、前記電極ＳＬ，ＤＬとして、前記検出面Ｐに沿って互いに平行に設けられる複数の下部電極ＤＬと、前記検出面Ｐと前記下部電極ＤＬとの間で前記下部電極ＤＬと交差するとともに前記検出面Ｐに沿って互いに平行に設けられる複数の上部電極ＳＬと、を備え、前記検出面Ｐ内で、前記上部電極ＳＬの中心線上から離れた位置ほど、前記指示体が検出され易くなるように、前記検出感度が補正される。
【０１２１】
上記のタッチパネルシステム１によれば、上部電極ＳＬの直上から離れることで指示体の検出が困難になる検出面Ｐ内の位置において、指示体の検出を容易にする検出感度を設定することが可能となる。
【０１２２】
さらに、上記のタッチパネルシステム１，１Ａ，１Ｂは、前記指示体位置検出部５，５Ａ，５Ｂは、前記検出面Ｐに接触または近接する前記指示体が存在しない状態で得られた前記出力信号から求めた前記静電容量と、前記検出面Ｐ内における前記指示体の位置の検出時に得られる前記出力信号から求められる前記静電容量と、を比較することで、前記静電容量の変化量（静電容量値）の分布を求め、当該静電容量の変化量の分布の重心位置における前記静電容量の変化量が、検出基準よりも大きければ、当該重心位置を前記検出面Ｐ内における前記指示体の位置として検出するものであり、前記検出面Ｐ内で、前記上部電極ＳＬの中心線上から離れた位置ほど、小さい前記検出基準が設定されている。
【０１２３】
さらに、上記のタッチパネルシステム１，１Ａ，１Ｂは、前記検出感度の補正方法が、前記検出面Ｐに対して前記指示体が実際に接触した際に得られる前記出力信号の処理結果に基づいて設定されている。
【０１２４】
上記のタッチパネルシステム１，１Ａ，１Ｂによれば、電極ＳＬ，ＤＬのパターンに対応した検出感度の補正方法を、精度良く求めて設定することが可能となる。
【０１２５】
さらに、上記のタッチパネルシステム１，１Ａ，１Ｂは、画像を表示する表示装置２と、前記表示装置２が表示する画像を制御するホスト端末７と、をさらに備え、前記表示装置２の画像が表示される表示面上に、前記タッチパネル３が設けられ、前記ホスト端末７が、前記表示装置２が表示する画像を制御することで、前記検出面Ｐ内の所定の位置に前記指示体が接触するように誘導し、それによって得られる前記出力信号に基づいて、前記検出感度の補正方法が求められる。
【０１２６】
上記のタッチパネルシステム１，１Ａ，１Ｂによれば、検出感度の補正方法を設定するために必要となる出力信号を、ユーザを誘導することで迅速に取得することが可能となる。
【０１２７】
さらに、上記のタッチパネルシステム１，１Ａ，１Ｂは、前記検出感度の補正方法が、前記電極ＳＬ，ＤＬのパターンの特徴に基づいて設定されている。
【０１２８】
上記のタッチパネルシステム１，１Ａ，１Ｂによれば、電極ＳＬ，ＤＬのパターンに対応した検出感度の補正方法を、容易に求めて設定することが可能となる。
【０１２９】
さらに、上記のタッチパネルシステム１，１Ａ，１Ｂは、前記指示体位置検出部６による前記出力信号の処理結果に基づいて、前記検出感度の補正方法の設定及び更新の少なくともいずれか一方を行う検出感度補正方法設定部６，６Ａ，６Ｂを、さらに備える。
【０１３０】
上記のタッチパネルシステム１，１Ａ，１Ｂによれば、タッチパネルシステム１の出荷前やユーザがタッチパネルシステム１，１Ａ，１Ｂを使用している時など、任意のタイミングで検出感度の補正方法を設定することが可能となる。
【０１３１】
さらに、上記のタッチパネルシステム１，１Ａ，１Ｂは、前記電極ＳＬ，ＤＬは、多角形または円形のパッド部が直線状に複数連結されたパターンから成る。
【０１３２】
さらに、上記のタッチパネルシステム１，１Ａ，１Ｂは、画像を表示する表示装置２を、さらに備え、前記表示装置２の画像が表示される表示面上に、前記タッチパネル３が設けられている。
【０１３３】
さらに、上記のタッチパネルシステム１，１Ａ，１Ｂは、前記表示装置２が、液晶ディスプレイ、プラズマディスプレイ、有機ＥＬディスプレイ、または、電界放出ディスプレイである。
【０１３４】
また、本発明の実施形態に係る電子情報機器１００は、上記のタッチパネルシステム１，１Ａ，１Ｂを備える。
【産業上の利用可能性】
【０１３５】
本発明に係るタッチパネルシステムは、例えば投影型静電容量方式のタッチパネルシステム等に、好適に利用され得る。
【符号の説明】
【０１３６】
１      ：  タッチパネルシステム
２      ：  表示装置
３      ：  タッチパネル
４      ：  ドライブライン駆動部
５，５Ａ，５Ｂ  ：  指示体位置検出部
５１    ：  増幅部
５２    ：  信号取得部
５３    ：  Ａ／Ｄ変換部
５４    ：  復号処理部
５５，５５Ｂ  ：  位置情報生成部
５６    ：  補正部
６      ：  検出基準設定部（検出感度補正方法設定部）
６Ａ    ：  補正方法設定部（検出感度補正方法設定部）
６Ｂ    ：  補正方法設定部（検出感度補正方法設定部）
７      ：  ホスト端末
１００  ：  電子情報機器
ＤＬ    ：  ドライブライン
ＤＬＰ  ：  ドライブラインパッド部
ＳＬ    ：  センスライン
ＳＬＰ  ：  センスラインパッド部
Ｐ      ：  検出面
Ｘ      ：  検出領域
【図１】
2014073586.tif 000003
【図２】
2014073586.tif 000004
【図３】
2014073586.tif 000005
【図４】
2014073586.tif 000006
【図５】
2014073586.tif 000007
【図６】
2014073586.tif 000008
【図７】
2014073586.tif 000009
【図８】
2014073586.tif 000010
【図９】
2014073586.tif 000011
【図１０】
2014073586.tif 000012
【図１１】
2014073586.tif 000013
【図１２】
2014073586.tif 000014
【図１３】
2014073586.tif 000015
【図１４】
2014073586.tif 000016
【国際調査報告】
2014073586.tif 000017
2014073586.tif 000018